(57)【要約】液体クロマトグラフィー分析システムは、複数のモジュールの組合せにより構成されるモジュラー型の液体クロマトグラフィー分析システムであって、前記モジュールとして、複数種類の溶媒を移動相として送液するための送液ポンプ（１２；１２ａ；１２ｂ）を有する送液装置（２）、及び、前記送液装置（２）により送液される移動相に試料を注入するオートサンプラ（４）、及び、前記オートサンプラ（４）により移動相に注入された試料を成分ごとに分離するための分離カラム（２０）を収容するカラムオーブン（６）を少なくとも備え、前記複数種類の溶媒を混合するためのミキサ（１８）と、前記ミキサ（１８）から送出される移動相が前記オートサンプラ（４）内において一時的に保持された試料に到達するまでに要する時間に影響を与える系の内部容量をシステム容量として保持するシステム容量保持部（２４）と、前記システム容量保持部（２４）に保持された前記システム容量を用いて、前記オートサンプラ（６）による試料の注入タイミングを決定するように構成された注入タイミング決定部（３０）と、を備え、前記注入タイミング決定部（３０）により決定された注入タイミングで前記オートサンプラ（４）による試料注入が実行されるように構成されている。
2020183632.tif 000002
【特許請求の範囲】
【請求項１】
複数のモジュールの組合せにより構成されるモジュラー型の液体クロマトグラフィー分析システムであって、
前記モジュールとして、複数種類の溶媒を移動相として送液するための送液ポンプを有する送液装置、及び、前記送液装置により送液される移動相に試料を注入するオートサンプラ、及び、前記オートサンプラにより移動相に注入された試料を成分ごとに分離するための分離カラムを収容するカラムオーブンを少なくとも備え、
前記複数種類の溶媒を混合するためのミキサと、
前記ミキサから送出された移動相が前記オートサンプラ内において一時的に保持された試料に到達するまでの時間に影響を与える系の内部容量をシステム容量として保持するシステム容量保持部と、
前記システム容量保持部に保持された前記システム容量を用いて、前記オートサンプラによる試料の注入タイミングを決定するように構成された注入タイミング決定部と、を備え、
前記注入タイミング決定部により決定された注入タイミングで前記オートサンプラによる試料注入が実行されるように構成されている、液体クロマトグラフィー分析システム。
【請求項２】
前記オートサンプラは、試料を一時的に保持するためのサンプルループ、及び前記サンプルループを前記送液装置と前記分離カラムとの間に介挿するか否かを切り替えるための切替バルブを備え、試料を保持した前記サンプルループを前記送液装置と前記分離カラムとの間に介挿することによって移動相に試料を注入するものであり、
前記システム容量は前記ミキサから前記切替バルブまでの間の系の内部容量である、請求項１に記載の液体クロマトグラフィー分析システム。
【請求項３】
前記注入タイミング決定部は、複数種類の溶媒の混合比率を時間的に変化させるグラジエント送液が前記送液装置によって実行される場合において、前記システム容量保持部に保持された前記システム容量を前記送液装置による送液流量で除して得られた時間を考慮して前記注入タイミングを決定するように構成されている、請求項１に記載の液体クロマトグラフィー分析システム。
【請求項４】
前記送液ポンプの内部容量に関する情報を保持するポンプ容量保持部と、
前記オートサンプラ内の内部容量に関する情報を保持するサンプラ容量保持部と、
前記ミキサの内部容量に関する情報を保持するミキサ容量保持部と、
当該液体クロマトグラフィー分析システムのシステム構成に関する情報を保持するシステム構成保持部と、
前記ポンプ容量保持部、前記ミキサ容量保持部、前記サンプラ容量保持部及び前記システム構成保持部にそれぞれ保持された情報を用いて、前記システム容量を算出するシステム容量算出部と、を備え、
前記システム容量保持部は前記システム容量算出部により算出されたシステム容量を保持するように構成されている、請求項１に記載の液体クロマトグラフィー分析システム。
【請求項５】
前記ポンプ容量保持部は前記送液装置に設けられ、前記サンプラ容量保持部は前記オートサンプラに設けられている、請求項４に記載の液体クロマトグラフィー分析システム。
【請求項６】
前記ミキサは、前記送液装置、前記オートサンプラ又は前記カラムオーブンのいずれかのモジュールに搭載されており、前記ミキサ容量保持部は前記ミキサが搭載されている前記モジュールに設けられている、請求項５に記載の液体クロマトグラフィー分析システム。
【請求項７】
前記モジュールとして、前記送液装置、前記オートサンプラ及び前記カラムオーブンの動作制御を行なうためのシステムコントローラを備え、
前記ポンプ容量保持部、前記ミキサ容量保持部及び前記サンプラ容量保持部のうちの少なくともいずれか１つが前記システムコントローラに設けられている、請求項４に記載の液体クロマトグラフィー分析システム。
【発明の詳細な説明】
【技術分野】
【０００１】
本発明は、複数のモジュールの組合せにより構成されるモジュラー型の液体クロマトグラフィー分析システムに関する。
【背景技術】
【０００２】
液体クロマトグラフィー分析を行なうための分析システムとして、モジュラー型の分析システムが存在する。モジュラー型の分析システムは、複数のモジュールが組み合わせられて構成されるシステムであり、システムを構成するモジュールとしては、移動相を送液する送液装置、試料を注入するオートサンプラ、分離カラムの温度を調節するカラムオーブン、試料成分を検出するための検出器、システムコントローラなどが挙げられる（特許文献１参照。）。
【先行技術文献】
【特許文献】
【０００３】
【特許文献１】特開２０１６−０８０４６６号公報
【発明の概要】
【発明が解決しようとする課題】
【０００４】
上記のようなモジュラー型の液体クロマトグラフィー分析システムは、システムに組み込まれるモジュールや配管によって分析系の内部容量が異なる。移動相の組成を時間的に変化させるグラジエント分析を実行する場合、分析系の内部容量が互いに異なる分析システムでは、移動相の送液流量や分離カラムの温度などの条件を同一にしたとしても分析結果に差が生じるという問題があった。そのため、同じ試料についての分析結果が分析システムによって異なるという事態が生じていた。【０００５】
本発明は上記問題に鑑みてなされたものであり、分析システムの構成の違いによる分析結果への影響を小さくすることを目的とするものである。
【課題を解決するための手段】
【０００６】
本発明に係る液体クロマトグラフィー分析システムは、複数のモジュールの組合せにより構成されるモジュラー型の液体クロマトグラフィー分析システムであって、前記モジュールとして、複数種類の溶媒を移動相として送液するための送液ポンプを有する送液装置、及び、前記送液装置により送液される移動相に試料を注入するオートサンプラを少なくとも備え、前記複数種類の溶媒を混合するためのミキサと、前記ミキサから送出された移動相が前記オートサンプラ内において一時的に保持された試料に到達するまでの時間に影響を与える系の内部容量をシステム容量として保持するシステム容量保持部と、前記システム容量保持部に保持された前記システム容量を用いて、前記オートサンプラによる試料の注入タイミングを決定するように構成された注入タイミング決定部と、を備え、前記注入タイミング決定部により決定された注入タイミングで前記オートサンプラによる試料注入が実行されるように構成されている。
【発明の効果】
【０００７】
液体クロマトグラフィーシステムにおいて、移動相の組成を時間的に変化させるグラジエント分析を行なう場合、システム容量が分析システムごとに異なっていると、ミキサから送出された移動相がオートサンプラ内の試料へ到達するまでに要する時間が異なるため、同じタイミングで試料を注入しても分離カラム内において初期濃度の移動相が試料を押し流す時間に差を生じる。システム容量の大きい分析システムでは、分離カラム内で初期濃度の移動相が試料を押し流す時間が長くなるため、分離カラムからの試料成分の溶出時間が異なる。そのため、システム容量の異なる分析システム間で得られるクロマトグラムが異なってしまう。【０００８】
そこで、本発明に係る液体クロマトグラフィー分析システムでは、前記システム容量を保持するシステム容量保持部と、前記システム容量保持部に保持された前記システム容量を用いて、前記オートサンプラによる試料の注入タイミングを決定するように構成された注入タイミング決定部と、を備え、前記注入タイミング決定部により決定された注入タイミングで前記オートサンプラによる試料注入が実行されるように構成されている。これにより、前記ミキサから送出された移動相がオートサンプラ内の試料へ到達するまでに要する時間に応じて試料の注入タイミングを調節することができる。その結果、分析システムの構成の違いによる分析結果への影響が小さくなる。
【図面の簡単な説明】
【０００９】
【図１】液体クロマトグラフィー分析システムの一実施例を示す概略構成図である。
【図２】液体クロマトグラフィー分析システムの他の実施例を示す概略構成図である。
【図３】液体クロマトグラフィー分析システムのさらに他の実施例を示す概略構成図である。
【図４】システム容量の登録動作の一例を示すフローチャートである。
【図５】分析動作の一例を示すフローチャートである。
【発明を実施するための形態】
【００１０】
以下、本発明に係る液体クロマトグラフィー分析システムの実施形態について、図面を参照しながら説明する。
【００１１】
図１に液体クロマトグラフィー分析システムの一実施例の概略的構成を示す。
【００１２】
この実施例の液体クロマトグラフィー分析システムは、複数のモジュールの組合せによって構成されたモジュラー型の分析システムであり、モジュールとして、送液装置２、オートサンプラ４、カラムオーブン６、検出器８及びシステムコントローラ１０を備えている。
【００１３】
送液装置２は、互いに異なる溶媒を移動相として送液するための２台の送液ポンプ１２ａ、１２ｂと、送液ポンプ１２ａ、１２ｂの内部容量に関する情報を保持するポンプ容量保持部１４を備えている。ポンプ容量保持部１４は、送液装置２に設けられている電子回路基板に搭載された記憶装置の一部の記憶領域によって実現される。この実施例では、２台の送液ポンプ１２ａ、１２ｂによって送液される２種類の溶媒を混合するためのミキサ１８はカラムオーブン６に搭載されている。
【００１４】
オートサンプラ４は、ミキサ１８で混合された溶媒からなる移動相中に試料を注入するためのものである。オートサンプラ４は、試料を採取するためのニードル、ニードルにより採取された試料を一時的に保持するためのサンプルループ、サンプルループを送液装置２と分離カラム２０との間に介挿するか否かを切り替えるための切替バルブを備えており、試料を保持したサンプルループを送液装置２と分離カラム２０との間に介挿することで、送液装置２によって送液される移動相中に試料を注入する。オートサンプラ４には、送液装置と切替バルブとの間を接続するオートサンプラ４内の入口配管の内部容量、切替バルブ、サンプルループ、ニードル及び注入ポートを含む系内の内部容量、切替バルブと切替バルブ２０との間を接続するオートサンプラ４内の出口配管の内部容量に関する情報を保持するサンプラ容量保持部１６が設けられている。サンプラ容量保持部１６は、オートサンプラ４に設けられている電子回路基板に搭載された記憶装置の一部の記憶領域によって実現される。
【００１５】
カラムオーブン６は試料を成分ごとに分離するための分離カラム２０を内部に収容して分離カラム２０の温度を調節するためのものである。カラムオーブン６には、ミキサ１８が搭載されているとともにミキサ１８の内部容量に関する情報を保持するミキサ容量保持部２２が設けられている。ミキサ容量保持部２２は、カラムオーブン６に設けられている電子回路基板に搭載された記憶装置の一部の記憶領域によって実現される。
【００１６】
なお、ミキサ１８は必ずしもカラムオーブン６に搭載されている必要はなく、送液装置２又はオートサンプラ４のいずれかのモジュールに搭載されていてもよい。その場合、ミキサ容量保持部２２はミキサ１８が搭載されているモジュールに設けてもよい。
【００１７】
送液装置２の各送液ポンプ１２ａ、１２ｂはカラムオーブン６内のミキサ１８の入口に所定の配管を介して流体的に接続され、ミキサ１８の出口がオートサンプラ４の入力ポートに所定の配管を介して流体的に接続されている。オートサンプラ４の出力ポートは、カラムオーブン６内の分離カラム２０の入口に所定の配管を介して流体的に接続されている。カラムオーブン６内の分離カラム２０の出口は、検出器８の入力ポートに所定の配管を介して接続されている。
【００１８】
検出器８は、分離カラム２０において分離された試料成分を検出するためのものである。
【００１９】
システムコントローラ１０は、送液装置２、オートサンプラ４、カラムオーブン６及び検出器８の各モジュールと電気的な通信が可能なように、例えば通信ケーブルによって接続されており、各モジュール２、４、６及び８の動作制御を行なう機能を有する。
【００２０】
システムコントローラ１０は、システム容量保持部２４、システム構成保持部２６、システム容量算出部２８及び注入タイミング決定部３０を備えている。システム容量保持部２４及びシステム構成保持部２６は、システムコントローラ１０に設けられている記憶装置の一部の記憶領域によって実現される。システム容量算出部２８及び注入タイミング決定部３０は、システムコントローラ１０に設けられている中央演算装置（ＣＰＵ）が所定のプログラムを実行することにより得られる機能である。
【００２１】
システム容量保持部２４は、ミキサ１８から送出された移動相がオートサンプラ４内のサンプルループに一時的に保持された試料に到達するまでの時間に影響を与える系の内部容量をシステム容量として保持する。システム容量は、システム容量算出部２８によって算出される。
【００２２】
システム構成保持部２６は、この分析システムのシステム構成に関する情報、すなわち、どのようなモジュールが用いられ、各モジュールがどのような配管によって互いに接続されてシステムが構成されているかについての情報を保持する。システムコントローラ１０は、各モジュール２、４、６及び８との間の通信によって各モジュール２、４、６及び８から得られる情報、及び／又は、ユーザ（分析システムを構築した作業者）によって入力された情報に基づいてシステム構成を認識することができる。システム構成保持部２６はそのようにして認識されたシステム構成に関する情報を保持する。
【００２３】
システム容量算出部２８は、システム構成保持部２６に保持されているシステム構成の情報に基づいてミキサ１８から送出された移動相がオートサンプラ４内においてサンプルループにより一時的に保持された試料に到達するまでの時間に影響を与える系内に存在する要素を特定し、それらの要素の内部容量を合算することによってシステム容量を算出するように構成されている。
【００２４】
図１のシステム構成は、２台の送液ポンプ１２ａ、１２ｂによって２種類の溶媒を送液する高圧グラジエント送液用の構成となっており、送液ポンプ１２ａ、１２ｂの下流にミキサ１８が接続されている。したがって、ミキサ１８から送出された移動相がオートサンプラ４内においてサンプルループに一時的に保持された試料に到達するまでの時間に影響を与える系内の要素には、ミキサ１８、ミキサ１８とオートサンプラ４との間を接続する配管、オートサンプラ４内の入口配管、切替バルブ、サンプルループが含まれる。システム容量算出部２８は、ミキサ容量保持部２２、サンプラ容量保持部１６に保持されている情報を用いて、それらの要素の内部容量の合算値をシステム容量として算出する。システム容量算出部２８により算出されたシステム容量がシステム容量保持部２４に保持される。
【００２５】
注入タイミング決定部３０は、試料の分析が開始される前に、システム容量保持部２４に保持されているシステム容量と分析開始時の送液流量に基づいて、オートサンプラ４による試料の注入タイミングを決定するように構成されている。試料の注入タイミングとは、オートサンプラ４内で試料を保持したサンプルループをミキサ１８と分離カラム２０との間に介挿するように切替バルブを切り替えるタイミングである。
【００２６】
ミキサ１８から送出された移動相がオートサンプラ４内の試料に到達するまでに要する時間Ｔは、システム容量を送液流量で除することによって求めることができる。Ｔ＝ｔの分析システムとＴ＝ｔ＋αの分析システムが存在している場合に、両分析システムでグラジエント送液を開始してから同じタイミングで試料の注入を行なって分析を開始すると、Ｔ＝ｔ＋αの分析システムではＴ＝ｔの分析システムよりも、分析開始から時間α分だけ移動相が試料に到達する時間が遅れる。そこで、Ｔ＝ｔ＋αの分析システムの注入タイミングをＴ＝ｔの分析システムよりも時間αだけ遅らせることで、ミキサ１８から送出された移動相がオートサンプラ４内の試料に到達するタイミングを合わせることができる。これにより、システム容量の異なる分析システム間で、分離カラム１８内において試料を初期濃度の移動相が押し流す時間を合わせることができる。注入タイミング決定部３０は、ミキサ１８から送出された移動相がオートサンプラ４内の試料に到達するまでに要する時間を考慮して注入タイミングを決定するように構成されている。
【００２７】
なお、図１の実施例は、高圧グラジエント送液用のシステム構成であるため、ミキサ１８からオートサンプラ４内の試料までの間の系内の要素として送液ポンプ１２ａ、１２ｂが含まれない。したがって、システム容量の算出に送液ポンプ１２ａ、１２ｂの内部容量が不要であり、送液装置２はポンプ容量保持部１４を必ずしも備えている必要がない。
【００２８】
また、図２に示されているように、単一の送液ポンプ１２によって複数種類の溶媒の送液を行なう低圧グラジエント送液用の送液装置２’が用いられる場合もある。この場合、ミキサ１８は送液装置２’に搭載されることがあり、ミキサ容量保持部２２もカラムオーブン６’ではなく送液装置２’に設けることができる。また、ミキサ１８の下流に送液ポンプ１２が接続される場合には、ミキサ１８から分離カラム２０までの系内の要素として送液ポンプ１２が含まれる。したがって、システム容量算出部２８は、送液ポンプ１２を含むミキサ１８から分離カラム２０までの系内の要素の内部容量の合算値をシステム容量として算出する。
【００２９】
なお、図１及び図２の実施例では、ミキサ１８から分離カラム２０までの系内に組み込まれ得る要素を備えたモジュールがそれらの要素の内部容量に関する情報を保持する機能を備えているが、各要素の内部容量に関する情報の一部又は全部をシステムコントローラに保持させてもよい。図３の実施例では、カラムオーブン６’’にミキサ１８が搭載されているものの、カラムオーブン６’’はそのミキサ１８の内部容量に関する情報を保持する機能を備えていない。この実施例では、システムコントローラ１０’にミキサ容量保持部２２’を設けており、カラムオーブン６’’に搭載されたミキサ１８の内部容量に関する情報をシステムコントローラ１０’が管理している。このほか、送液ポンプの内部容量に関する情報やオートサンプラの内部容量に関する情報を管理する機能をシステムコントローラに具備させてもよい。
【００３０】
以上において説明した図１から図３の実施例では、システムコントローラ１０又は１０’がシステム容量保持部２４、システム構成保持部２６、システム容量算出部２８及び注入タイミング決定部３０などの機能を備えているが、本発明はこれに限定されるものではなく、これらの機能をシステムコントローラ１０又は１０’との間で通信可能なコンピュータに具備させてもよい。
【００３１】
上記実施例におけるシステム容量の登録動作について、図１から図３とともに図４のフローチャートを用いて説明する。
【００３２】
分析システムの構築の際などにシステム構成の設定が行われ、設定されたシステム構成がシステム構成保持部２６に保持される（ステップ１０１）。システム容量算出部２８は、システム構成保持部２６に保持されたシステム構成に基づいてミキサ１８から送出された移動相がオートサンプラ４内の試料に到達するまでに要する時間に影響を与える系内の要素を特定し（ステップ１０２）、それらの要素の内部容量の合算値をシステム容量として算出する（ステップ１０３）。システム容量算出部２８により算出されたシステム容量はシステム容量保持部２４に記憶されることにより登録される（ステップ１０４）。
【００３３】
次に、上記実施例における分析動作について、図１から図３とともに図５のフローチャートを用いて説明する。
【００３４】
まず、移動相の送液流量やカラム温度といった分析条件の設定が行われる（ステップ２０１）。注入タイミング決定部３０は、システム容量保持部２４に保持されているシステム容量と設定された送液流量とを用いて、オートサンプラ６における試料の注入タイミングを決定する（ステップ２０２）。その後、システムコントローラ１０（又は１０’）から分析開始の指示が送信されると（ステップ２０３）、送液装置２はグラジエント送液を開始する（ステップ２０４）。グラジエント送液が開始された後、注入タイミング決定部３０により決定された注入タイミングとなったときにオートサンプラ６は試料の注入を実行する（ステップ２０５、２０６）。その後、予め設定された分析時間が経過したときに分析を終了する（ステップ２０７）。複数の試料の分析を連続的に実行する場合には、上記ステップ２０３〜２０７をすべての試料に対して実行する（ステップ２０８）。
【００３５】
なお、以上において説明した実施例は本発明に係る液体クロマトグラフィー分析システムの実施形態の態様を例示したに過ぎない。本発明に係る液体クロマトグラフィー分析システムの実施形態は以下のとおりである。
【００３６】
本発明に係る液体クロマトグラフィー分析システムの実施形態は、複数のモジュールの組合せにより構成されるモジュラー型の液体クロマトグラフィー分析システムであって、前記モジュールとして、複数種類の溶媒を移動相として送液するための送液ポンプを有する送液装置、及び、前記送液装置により送液される移動相に試料を注入するオートサンプラ、及び、前記オートサンプラにより移動相に注入された試料を成分ごとに分離するための分離カラムを収容するカラムオーブンを少なくとも備え、前記複数種類の溶媒を混合するためのミキサと、前記ミキサからから送出された移動相が前記オートサンプラ内において一時的に保持された試料に到達するまでに要する時間に影響を与える系の内部容量をシステム容量として保持するシステム容量保持部と、前記システム容量保持部に保持された前記システム容量を用いて、前記オートサンプラによる試料の注入タイミングを決定するように構成された注入タイミング決定部と、を備え、前記注入タイミング決定部により決定された注入タイミングで前記オートサンプラによる試料注入が実行されるように構成されている。
【００３７】
上記実施形態の第１態様では、前記オートサンプラは、試料を一時的に保持するためのサンプルループ、及び前記サンプルループを前記送液装置と前記分離カラムとの間に介挿するか否かを切り替えるための切替バルブを備え、試料を保持した前記サンプルループを前記送液装置と前記分離カラムとの間に介挿することによって移動相に試料を注入するものであり、前記システム容量は前記ミキサから前記切替バルブまでの間の系の内部容量である。
【００３８】
上記実施形態の第２態様では、前記注入タイミング決定部は、複数種類の溶媒の混合比率を時間的に変化させるグラジエント送液が前記送液装置によって実行される場合において、前記システム容量保持部に保持された前記システム容量を前記送液装置による送液流量で除して得られた時間を考慮して前記注入タイミングを決定するように構成されている。このような態様により、システム容量の違いによる分離カラムからの試料成分の溶出時間への影響をなくすように注入タイミングを決定することができる。
【００３９】
上記実施形態の第３態様では、前記送液ポンプの内部容量に関する情報を保持するポンプ容量保持部と、前記オートサンプラ内の内部容量に関する情報を保持するサンプラ容量保持部と、前記ミキサの内部容量に関する情報を保持するミキサ容量保持部と、当該液体クロマトグラフィー分析システムのシステム構成に関する情報を保持するシステム構成保持部と、前記ポンプ容量保持部、前記ミキサ容量保持部、前記サンプラ容量保持部及び前記システム構成保持部にそれぞれ保持された情報を用いて、前記システム容量を算出するシステム容量算出部と、を備え、前記システム容量保持部は前記システム容量算出部により算出されたシステム容量を保持するように構成されている。このような態様により、装置に登録されたシステム構成に基づいてシステム容量が自動的に計算されるので、ユーザがシステム容量を計算によって求める必要がない。なお、この第２態様は上記第１態様と組み合わせることができる。
【００４０】
上記第３態様において、前記ポンプ容量保持部は前記送液装置に設けられ、前記サンプラ容量保持部は前記オートサンプラに設けられていてもよい。
【００４１】
上記の場合において、前記ミキサは、前記送液装置、前記オートサンプラ又は前記カラムオーブンのいずれかのモジュールに搭載されており、前記ミキサ容量保持部は前記ミキサが搭載されている前記モジュールに設けられていてもよい。
【００４２】
また、上記第３態様において、前記モジュールとして、前記送液装置、前記オートサンプラ及び前記カラムオーブンの動作制御を行なうためのシステムコントローラを備え、前記ポンプ容量保持部、前記ミキサ容量保持部及び前記サンプラ容量保持部のうちの少なくともいずれか１つが前記システムコントローラに設けられていてもよい。
【符号の説明】
【００４３】
２，２’      送液装置
４      オートサンプラ
６，６’，６’’      カラムオーブン
８      検出器
１０      システムコントローラ
１２，１２ａ，１２ｂ      送液ポンプ
１４      ポンプ容量保持部
１６      サンプラ容量保持部
１８      ミキサ
２０      分離カラム
２２，２２’      ミキサ容量保持部
２４      システム容量保持部
２６      システム構成保持部
２８      システム容量算出部
３０      注入タイミング決定部
【図１】
2020183632.tif 000003
【図２】
2020183632.tif 000004
【図３】
2020183632.tif 000005
【図４】
2020183632.tif 000006
【図５】
2020183632.tif 000007
【手続補正書】
【提出日】令和3年8月12日(2021.8.12)
【手続補正１】
【補正対象書類名】特許請求の範囲
【補正対象項目名】全文
【補正方法】変更
【補正の内容】
【特許請求の範囲】
【請求項１】
複数のモジュールの組合せにより構成されるモジュラー型の液体クロマトグラフィー分析システムであって、
前記モジュールとして、複数種類の溶媒を移動相としてグラジエント送液するための送液ポンプを有する送液装置、及び、前記送液装置により送液される移動相に試料を注入するオートサンプラ、及び、前記オートサンプラにより移動相に注入された試料を成分ごとに分離するための分離カラムを収容するカラムオーブンを少なくとも備え、
前記複数種類の溶媒を混合するためのミキサと、
前記ミキサから送出された移動相が前記オートサンプラ内において一時的に保持された試料に到達するまでの時間に影響を与える系の内部容量をシステム容量として保持するシステム容量保持部と、
前記システム容量保持部に保持された前記システム容量を用いて、前記オートサンプラによる試料の注入タイミングを決定するように構成された注入タイミング決定部と、を備え、
前記注入タイミング決定部により決定された注入タイミングで前記オートサンプラによる試料注入が実行されるように構成されている、液体クロマトグラフィー分析システム。
【請求項２】
前記オートサンプラは、試料を一時的に保持するためのサンプルループ、及び前記サンプルループを前記送液装置と前記分離カラムとの間に介挿するか否かを切り替えるための切替バルブを備え、試料を保持した前記サンプルループを前記送液装置と前記分離カラムとの間に介挿することによって移動相に試料を注入するものであり、
前記システム容量は前記ミキサから前記切替バルブまでの間の系の内部容量である、請求項１に記載の液体クロマトグラフィー分析システム。
【請求項３】
前記注入タイミング決定部は、複数種類の溶媒の混合比率を時間的に変化させるグラジエント送液が前記送液装置によって実行される場合において、前記システム容量保持部に保持された前記システム容量を前記送液装置による送液流量で除して得られた時間を考慮して前記注入タイミングを決定するように構成されている、請求項１に記載の液体クロマトグラフィー分析システム。
【請求項４】
前記送液ポンプの内部容量に関する情報を保持するポンプ容量保持部と、
前記オートサンプラ内の内部容量に関する情報を保持するサンプラ容量保持部と、
前記ミキサの内部容量に関する情報を保持するミキサ容量保持部と、
当該液体クロマトグラフィー分析システムのシステム構成に関する情報を保持するシステム構成保持部と、
前記ポンプ容量保持部、前記ミキサ容量保持部、前記サンプラ容量保持部及び前記システム構成保持部にそれぞれ保持された情報を用いて、前記システム容量を算出するシステム容量算出部と、を備え、
前記システム容量保持部は前記システム容量算出部により算出されたシステム容量を保持するように構成されている、請求項１に記載の液体クロマトグラフィー分析システム。
【請求項５】
前記ポンプ容量保持部は前記送液装置に設けられ、前記サンプラ容量保持部は前記オートサンプラに設けられている、請求項４に記載の液体クロマトグラフィー分析システム。
【請求項６】
前記ミキサは、前記送液装置、前記オートサンプラ又は前記カラムオーブンのいずれかのモジュールに搭載されており、前記ミキサ容量保持部は前記ミキサが搭載されている前記モジュールに設けられている、請求項５に記載の液体クロマトグラフィー分析システム。
【請求項７】
前記モジュールとして、前記送液装置、前記オートサンプラ及び前記カラムオーブンの動作制御を行なうためのシステムコントローラを備え、
前記ポンプ容量保持部、前記ミキサ容量保持部及び前記サンプラ容量保持部のうちの少なくともいずれか１つが前記システムコントローラに設けられている、請求項４に記載の液体クロマトグラフィー分析システム。
【手続補正２】
【補正対象書類名】明細書
【補正対象項目名】０００６
【補正方法】変更
【補正の内容】
【０００６】
本発明に係る液体クロマトグラフィー分析システムは、複数のモジュールの組合せにより構成されるモジュラー型の液体クロマトグラフィー分析システムであって、前記モジュールとして、複数種類の溶媒を移動相としてグラジエント送液するための送液ポンプを有する送液装置、及び、前記送液装置により送液される移動相に試料を注入するオートサンプラを少なくとも備え、前記複数種類の溶媒を混合するためのミキサと、前記ミキサから送出された移動相が前記オートサンプラ内において一時的に保持された試料に到達するまでの時間に影響を与える系の内部容量をシステム容量として保持するシステム容量保持部と、前記システム容量保持部に保持された前記システム容量を用いて、前記オートサンプラによる試料の注入タイミングを決定するように構成された注入タイミング決定部と、を備え、前記注入タイミング決定部により決定された注入タイミングで前記オートサンプラによる試料注入が実行されるように構成されている。
【手続補正３】
【補正対象書類名】明細書
【補正対象項目名】００３６
【補正方法】変更
【補正の内容】
【００３６】
本発明に係る液体クロマトグラフィー分析システムの実施形態は、複数のモジュールの組合せにより構成されるモジュラー型の液体クロマトグラフィー分析システムであって、前記モジュールとして、複数種類の溶媒を移動相としてグラジエント送液するための送液ポンプを有する送液装置、及び、前記送液装置により送液される移動相に試料を注入するオートサンプラ、及び、前記オートサンプラにより移動相に注入された試料を成分ごとに分離するための分離カラムを収容するカラムオーブンを少なくとも備え、前記複数種類の溶媒を混合するためのミキサと、前記ミキサからから送出された移動相が前記オートサンプラ内において一時的に保持された試料に到達するまでに要する時間に影響を与える系の内部容量をシステム容量として保持するシステム容量保持部と、前記システム容量保持部に保持された前記システム容量を用いて、前記オートサンプラによる試料の注入タイミングを決定するように構成された注入タイミング決定部と、を備え、前記注入タイミング決定部により決定された注入タイミングで前記オートサンプラによる試料注入が実行されるように構成されている。
【国際調査報告】
2020183632.tif 000008
2020183632.tif 000009
2020183632.tif 000010
2020183632.tif 000011